(57)【要約】【課題】質感および墓の安全を確保したうえで納骨の作業を容易にすることができる供物台を提供する。【解決手段】骨蓋台１は納骨用開口１１を有する。各柱２は納骨用開口１１を互いに挟んで骨蓋台１の上に設けられ、互いに対向する側面に長さ方向に沿って互いに平行なガイド溝２２を有する。仕切板３は各ガイド溝２２に沿ってスライド可能に設けられる。骨蓋４は各柱２の間で骨蓋台１の上にスライドして納骨用開口１１を開閉可能に設けられ、仕切板３の下端と係合する突起４１を上面に有する。天板５は各柱２の上に架け渡して設けられる。各柱２と仕切板３と骨蓋４と天板５との間に香炉室が形成される。回転扉６が香炉室を開閉可能に骨蓋台１の上に設けられる。仕切板３は指を挿入可能な穴３２を有する。【選択図】図５
2004011136.tif 000002
【特許請求の範囲】
【請求項１】
骨蓋台と１対の柱と仕切板と骨蓋と天板とを有し、
前記骨蓋台は納骨用開口を有し、
各柱は前記納骨用開口を互いに挟んで前記骨蓋台の上に設けられ、互いに対向する側面に長さ方向に沿って互いに平行なガイド溝を有し、
前記仕切板は各ガイド溝に沿ってスライド可能に設けられ、
前記骨蓋は各柱の間で前記骨蓋台の上にスライドして前記納骨用開口を開閉可能に設けられ、前記仕切板の下端と係合する突起を上面に有し、
前記天板は各柱の上に架け渡して設けられていることを、
特徴とする供物台。
【請求項２】
扉を有し、各柱と仕切板と骨蓋と天板との間に香炉室が形成され、前記扉は前記香炉室を開閉可能に前記骨蓋台の上に設けられ、前記仕切板は指を挿入可能な穴を有することを、特徴とする請求項１記載の供物台。
【請求項３】
香炉を有し、前記香炉は前記香炉室の内部に配置され、前記柱は上部に花立用穴を有し、前記天板は前記花立用穴に連通する花立用貫通孔を有し、前記扉は前記骨蓋台に下端が回転可能に設けられていることを、特徴とする請求項２記載の供物台。
【発明の詳細な説明】
【０００１】
【発明の属する技術分野】
本発明は、墓に据え付けられる供物台に関する。
【０００２】
【従来の技術】
従来の墓は、納骨の際には供物台を除けて骨蓋を外すのが一般的である。
【０００３】
【発明が解決しようとする課題】
しかしながら、供物台を除けるには２人がかりで持ち上げなければならず、納骨の作業が容易ではないという課題があった。供物台を除けるのを容易にするため、供物台を軽い材質で製造することもできるが、質感が低下するうえ、他人にも供物台を除けやすくなり、墓を荒らされるおそれがあるという課題があった。
【０００４】
本発明は、このような従来の課題に着目してなされたもので、質感および墓の安全を確保したうえで納骨の作業を容易にすることができる供物台を提供することを目的としている。
【０００５】
【課題を解決するための手段】
上記目的を達成するために、本発明に係る供物台は、骨蓋台と１対の柱と仕切板と骨蓋と天板とを有し、前記骨蓋台は納骨用開口を有し、各柱は前記納骨用開口を互いに挟んで前記骨蓋台の上に設けられ、互いに対向する側面に長さ方向に沿って互いに平行なガイド溝を有し、前記仕切板は各ガイド溝に沿ってスライド可能に設けられ、前記骨蓋は各柱の間で前記骨蓋台の上にスライドして前記納骨用開口を開閉可能に設けられ、前記仕切板の下端と係合する突起を上面に有し、前記天板は各柱の上に架け渡して設けられていることを、特徴とする。
【０００６】
本発明に係る供物台では、納骨に際し、仕切板を各柱の各ガイド溝に沿ってスライドするよう持ち上げ、下端と骨蓋の突起との係合を外す。骨蓋を手前に引いて骨蓋台の上でスライドさせれば、納骨用開口を開くことができる。このように、供物台全体を持ち上げる必要がないため、材質を変えて軽くする必要がなく、質感および墓の安全を確保したうえで納骨の作業を容易にすることができる。なお、開くときと逆の操作により、容易に骨蓋で納骨用開口を閉じることができる。
【０００７】
本発明に係る供物台は、扉を有し、各柱と仕切板と骨蓋と天板との間に香炉室が形成され、前記扉は前記香炉室を開閉可能に前記骨蓋台の上に設けられ、前記仕切板は指を挿入可能な穴を有することが好ましい。
この場合、扉により香炉室を開閉することができる。納骨用開口を開くため仕切板を持ち上げるとき、穴に指を挿入することにより仕切板を容易に持ち上げることができる。香炉室に線香を置いたとき、線香を燃やすための空気は穴から取り入れることができるので、線香が酸素欠乏で消えるのを防止することができる。なお、扉は、回転扉であっても引き戸であってもよい。
【０００８】
本発明に係る供物台は、香炉を有し、前記香炉は前記香炉室の内部に配置され、前記柱は上部に花立用穴を有し、前記天板は前記花立用穴に連通する花立用貫通孔を有し、前記扉は前記骨蓋台に下端が回転可能に設けられていることが好ましい。
【０００９】
【発明の実施の形態】
以下、図面に基づき、本発明の実施の形態について説明する。
図１乃至図８は、本発明の実施の形態を示している。
図１乃至図６に示すように、供物台が、骨蓋台（納骨式骨蓋）１と１対の柱（花立）２と仕切板（仕切石）３と骨蓋（納骨蓋）４と天板（供物台石）５と１対の回転扉６と香炉（香炉石）７とから成っている。
【００１０】
図７（Ａ）に示すように、骨蓋台１は、長方形の板状であって、中央に四角形の納骨用開口１１を有する。骨蓋台１は、両端側１２に対して納骨用開口１１の周囲１３が段差をなして低くなっており、両端側１２に対して納骨用開口１１を有する中央部に溝１４が形成されている。骨蓋台１は、正面部の溝１４より低い位置で溝１４の幅で突出する段部１５を有している。段部１５は、上面が平坦になっている。
【００１１】
図７（Ｂ），図８（Ａ）に示すように、各柱２は、四角柱状をなし、納骨用開口１１を互いに挟んで骨蓋台１の両端側１２の上に設けられている。各柱２は、背面側の縁部２１付近の互いに対向する側面に長さ方向に沿って互いに平行なガイド溝２２を有する。ガイド溝２２は、各柱２の両端まで通じている。また、各柱２は、正面側の互いに対向する縁部２３に、長さ方向に沿って互いに平行な切欠き部２４を有している。各柱２は、上部に花立用穴２５を有している。
【００１２】
図７（Ｃ）に示すように、仕切板３は、長方形の板状であって、２つの縁部３１が各ガイド溝２２に挟まれ、各ガイド溝２２に沿ってスライド可能に設けられている。仕切板３は、指を挿入可能な貫通する複数の穴３２を有している。複数の穴３２により、各柱２と仕切板３と骨蓋４と天板５との間に形成される香炉室１６（図２参照）に線香を置いたとき、線香を燃やすための空気を穴３２から取り入れることができるので、線香が酸素欠乏で消えるのを防止することができる。複数の穴３２は、線香の煙を排出する役割も有している。
【００１３】
図８（Ｂ）に示すように、骨蓋４は、四角形の板状であって、各柱２の間で骨蓋台１の上にスライドして納骨用開口１１を開閉可能に設けられている。骨蓋４は、仕切板３の下端３３と係合する突起４１を後端の上面に縁に沿って有している。仕切板３は、骨蓋４が骨蓋台１の上に配置されているとき、骨蓋４の突起４１より正面側の上に載り、骨蓋４が引き出されているとき、骨蓋台１の上に載る。骨蓋４は、骨蓋４が骨蓋台１の上に配置されているとき、段部１５の上に載って骨蓋台１の正面側の縁部１７（図７（Ａ）参照）と係合する係合部４２を有する。骨蓋４は、中央に貫通する息付穴４３を有している。
【００１４】
図８（Ｄ）に示すように、天板５は、長方形の板状であって、各柱２の上に架け渡して設けられている。天板５の上面は、中央部５１が両端５２より低くなっている。天板５は、花立用穴３２に連通する花立用貫通孔５３を有している。各柱２と仕切板３と骨蓋４と天板５との間には、香炉室１６が形成される。
【００１５】
図８（Ｃ）に示すように、各回転扉６は、四角形の板状であって、一端縁部６１が各柱２の切欠き部２４と合わせられている。各回転扉６は、切欠き部２４の位置で軸材により骨蓋台１の上に回転可能に設けられている。各回転扉６は、回転することにより香炉室１６を開閉可能となっている。図７（Ｄ）に示すように、香炉７は、香炉室１６の内部に配置されている。
【００１６】
次に、作用について説明する。
供物台は、墓の仏石の正面側に配置され、納骨堂の上方に納骨用開口１１が配置されるよう据え付けられる。納骨に際し、図１、図２に示す状態から図３に示すように回転扉６を開く。回転扉６により香炉室１６を開閉することができる。なお、図２乃至図６では、理解を容易にするため、天板５を外した状態で示す。
【００１７】
次に、図４に示すように、香炉７を香炉室１６から取り出す。仕切板３を各柱２の各ガイド溝２２に沿ってスライドするよう持ち上げ、下端３３と骨蓋４の突起４１との係合を外す。納骨用開口１１を開くため仕切板３を持ち上げるとき、穴３２に指を挿入することにより仕切板３を容易に持ち上げることができる。図５に示すように骨蓋４を手前に引いて骨蓋台１の上でスライドさせれば、図６に示すように納骨用開口１１を開くことができる。これにより、納骨の作業を容易にすることができる。
【００１８】
このように、供物台は、供物台全体を持ち上げる必要がないため、材質を変えて軽くする必要がなく、質感を確保したうえで納骨の作業を容易にすることができる。また、仕切板３を持ち上げなければ、骨蓋４を引いて納骨用開口１１を開くことはできないので、開閉方法を知らない他人に墓を荒らされるのを防止することができる。従って、墓の安全を確保したうえで納骨の作業を容易にすることができる。なお、開くときと逆の操作により、容易に骨蓋４で納骨用開口１１を閉じることができる。
【００１９】
【発明の効果】
本発明によれば、質感および墓の安全を確保したうえで納骨の作業を容易にすることができる供物台を提供することができる。
【図面の簡単な説明】
【図１】本発明の実施の形態の供物台の斜視図である。
【図２】図１の供物台から天板（供物台石）を除いた状態を示す斜視図である。
【図３】供物台の図２の状態から扉を開いた状態を示す斜視図である。
【図４】供物台の図３の状態から香炉石を除いた状態を示す斜視図である。
【図５】供物台の図４の状態から骨蓋を引き出した状態を示す斜視図である。
【図６】供物台の図５の状態から骨蓋および扉の一方を除いた状態を示す斜視図である。
【図７】図１の供物台の（Ａ）骨蓋台（納骨式骨蓋）、（Ｂ）左側柱（左側花立）、（Ｃ）仕切板（仕切石）、（Ｄ）香炉（香炉石）を示す斜視図である。
【図８】図１の供物台の（Ａ）右側柱（右側花立）、（Ｂ）骨蓋（納骨蓋）、（Ｃ）回転扉、（Ｄ）天板（供物台石）を示す斜視図である。
【符号の説明】
１　骨蓋台（納骨式骨蓋）
２　柱（花立）
３　仕切板（仕切石）
４　骨蓋（納骨蓋）
５　天板（供物台石）
６　回転扉
７　香炉（香炉石）
１１　納骨用開口
２２　ガイド溝
３２　穴
４１　突起
【図１】
2004011136.tif 000003
【図２】
2004011136.tif 000004
【図３】
2004011136.tif 000005
【図４】
2004011136.tif 000006
【図５】
2004011136.tif 000007
【図６】
2004011136.tif 000008
【図７】
2004011136.tif 000009
【図８】
2004011136.tif 000010